(57)【要約】      （修正有）【課題】リラクゼーションを兼ねたマッサージを含むエステティックに使用され、ショーツの基本的な機能を維持しつつ、特に臀部から太ももにかけてのマッサージに適したエステティック用ショーツの提供。【解決手段】左右サイド部６及び股下部で互いに接続された前見頃１及び後身頃２を備え着用者の腹部及び左右太もも部７の周囲に対応させてそれぞれ伸縮部４を与えたエステティック用のショーツ１０である。左右太もも部の伸縮部は、左右サイド部６から前身頃１を股下部まで、さらに後見頃２にかけて一連の帯状に与えられ少なくとも後見頃の一部に欠損部を含むことを特徴とする。【選択図】図１
2016130375.tif 000002
【特許請求の範囲】
【請求項１】
左右サイド部及び股下部で互いに接続された前見頃及び後身頃を備え着用者の腹部及び左右太もも部の周囲に対応させてそれぞれ伸縮部を与えたエステティック用のショーツであって、
前記左右太もも部の前記伸縮部は、前記左右サイド部から前記前身頃を前記股下部まで、さらに前記後見頃にかけて一連の帯状に与えられ少なくとも前記後見頃の一部に欠損部を含むことを特徴とするエステティック用ショーツ。
【請求項２】
前記左右サイド部における前記前見頃及び前記後身頃の接続寸法が前記股下部までの股上寸法よりも小さいことを特徴とする請求項１記載のショーツ。
【請求項３】
前記伸縮部はゴム紐からなることを特徴とする請求項１又は２に記載のショーツ。
【請求項４】
前記前見頃及び後身頃は紙又は不織布からなることを特徴とする請求項１乃至３のうちの１つに記載のショーツ。
【発明の詳細な説明】
【技術分野】
【０００１】
本発明は、リラクゼーションを兼ねたマッサージを含むエステティックに使用されるショーツに関し、特に、ショーツの基本的な機能を維持しつつ臀部から太ももにかけてのマッサージに適したエステティック用ショーツに関する。
【背景技術】
【０００２】
エステティックサロン等においてリラクゼーションを兼ねたマッサージなどのサービスを提供するにあたり、オイル等の液体を被施術者（顧客）の身体に塗布しても着衣を汚染しないように、被施術者に使い捨ての紙製や不織布製の専用着衣を一時的に着用させることがある。かかる専用着衣の下着のうち、女性用の下履き、いわゆるショーツには、マッサージ等の施術をスムーズに行うためのその覆った肌を施術者が簡単に露出させ得る工夫を施したものがある。
【０００３】
例えば、臀部から太ももに掛けてのマッサージを施術し易くするよう、ショーツの脚ぐり部周辺から裾を部分的に捲り上げられるようにしたものがある。かかるショーツは全体的に寸法を大きく作られており、特に、脚の付け根部分の周囲の寸法（脚ぐり部分の寸法）を大きくしてその裾を容易に捲ることができるようになっている。施術者は被施術者の臀部から太ももに掛けての肌を容易に露出させ得る。一方で、マッサージ以外においてもかかるショーツを身につけて時間を過ごすことを考慮すると、すなわち、肌を隠すというショーツの基本的な機能を考慮すると、あまりにも簡単に肌が露出しやすくなってしまうことは被施術者の心理状況から好ましいとは言えない。
【０００４】
ここで、特許文献１では、上記したようなショーツの基本的な機能を維持しつつ、必要なときに被施術者の肌を露出させやすいようにしたエステティック用ショーツを開示している。かかるショーツの前見頃及び後身頃は、互いに左右のサイド部分を連結させずに略逆三角形の頂点にあたるクロッチ部のみを連結させている。前見頃及び後身頃は、腹部（ウエスト）部分でギャザーを形成し、被施術者（着用者）の腹部を締める平帯状のゴム紐に対し左右にスライド自在となっている。ショーツが腹部にフィットすることで結果として脚の付け根部分にもフィットし、基本的なショーツの機能を果たすとともに、必要に応じて施術者が前見頃及び／又は後身頃を腹部のゴム紐に対してスライドさせることで露出する肌の面積を簡単に変更できるとしている。
【０００５】
特許文献２では、特許文献１のショーツと同様に、前見頃及び後身頃の互いの左右サイド部分（側縁部）を連結させずに略逆三角形の頂点にあたるクロッチ部のみを連結し、左右サイド部分で前見頃及び後身頃を重なるようにしつつ腹部を締める弾性ベルト部分を設け、しかもこの弾性ベルト部分が所定箇所で分離出来るようにしたエステティック用ショーツを開示している。着用した被施術者が立って移動する場合は、前身頃と後身頃の側縁部が重なっているため、ウエストから太ももの間の範囲を完全に隠すことができる。その一方、前身頃及び後身頃の側縁部が連結されていないため、施術者は前身頃及び後身頃の側縁部の間から手を差し入れて太ももへの手技を施すことができるとともに、太ももの内側や鼠径部への施術（手技）は必要に応じて弾性ベルト部分の分離箇所を解放しながら行い得るとしている。
【先行技術文献】
【特許文献】
【０００６】
【特許文献１】特許第５２９０９９３号公報
【特許文献２】特開２０１２−１３２１３２号公報
【発明の開示】
【発明が解決しようとする課題】
【０００７】
一般的なショーツでは着用者の腹部と脚の付け根部分にフィットすることで、その基本的な機能を維持する。一方で、エステティック用ショーツでは、肌を露出させ易いことが求められることからショーツとしての基本的機能、特に、脚の付け根部分にフィットすることが損なわれることが多い。
【０００８】
本発明は、以上のような状況に鑑みてなされたものであって、その目的とするところは、リラクゼーションを兼ねたマッサージを含むエステティックに使用され、ショーツの基本的な機能を維持しつつ、特に臀部から太ももにかけてのマッサージに適したエステティック用ショーツの提供にある。
【課題を解決するための手段】
【０００９】
一般的なショーツの左右太もも部の伸縮部は環状であって、太ともも部を締め付けるように包み込む。故に、一部に欠損部を与えて締め付けが失われてしまうと、ショーツとしての機能を果たさなくなる。一方で、上記したように、リラクゼーションを兼ねた太もものマッサージのためのエステティック用ショーツには、伸縮部に欠損部を与えてこの締め付けを解放したいとの矛盾した要望があった。本願発明者は、着用時には股下部が着用者に密着固定されることから、股下部に対して前後の伸縮部を連結しておけば少なくとも、ショーツとしての機能を失わないことを実験的に見いだし本発明に至った。
【００１０】
そこで、本発明によるエステティック用ショーツは、左右サイド部及び股下部で互いに接続された前見頃及び後身頃を備え着用者の腹部及び左右太もも部の周囲に対応させてそれぞれ伸縮部を与えたエステティック用のショーツであって、前記左右太もも部の前記伸縮部は、前記左右サイド部から前記前身頃を前記股下部まで、さらに前記後見頃にかけて一連の帯状に与えられ少なくとも前記後見頃の一部に欠損部を含むことを特徴とする。
【００１１】
かかる発明によれば、着用者の腹部及び左右太もも部の周囲に対応させてそれぞれ伸縮部を与えることでショーツとしての基本的機能を付与するとともに、左右太もも部のそれぞれで左右サイド部及び股下部を伸縮部で連結して前身頃を着用者にフィットさせ更に臀部を後見頃で緩やかに覆って着用者に安心感及びリラックス感を与える。その一方で、後見頃に与えられた欠損部を介して施術者が被施術者の臀部から太ももにかけてのマッサージを容易に出来るようになるのである。
【００１２】
上記した発明において、前記左右サイド部における前記前見頃及び前記後身頃の接続寸法が前記股下部までの股上寸法よりも小さいことを特徴としてもよい。かかる発明によれば、前身頃を着用者により確実にフィットさせ着用者に安心感をより与え得るのである。
【００１３】
また、前記伸縮部はゴム紐からなることを特徴としてもよい。更に、前記前見頃及び後身頃は紙又は不織布からなることを特徴としてもよい。かかる発明によれば、使い捨ての用途に適したコスト低減を図ることが出来るのである。
【図面の簡単な説明】
【００１４】
【図１】エステティック用ショーツの正面図である。
【図２】エステティック用ショーツの（ａ）正面図及び（ｂ）背面図である。
【発明を実施するための形態】
【００１５】
以下に、本発明によるエステティック用ショーツの１つの実施例について、図１を用いて説明する。
【００１６】
図１に示すように、ショーツ１０は前見頃１及び後身頃２を含む。前見頃１及び後身頃２は、マッサージ用のオイルを塗布されてもよいよう、例えば使い捨てのための比較的安価な素材からなる。かかる素材としては、紙や不織布が好適であり、公知の材質を用いて、適宜、目付量等を定められる。
【００１７】
前見頃１及び後身頃２は、互いにサイド部６にて縫製されて接続されるとともに、着用者の股下部にあたる部分において重ね合うように縫製されてクロッチ部５を形成している。なお、例えば、あらかじめ前見頃１と後身頃２とのサイド部６を接続した布を用いるなど、縫製は適宜省略され得る。
【００１８】
前見頃１及び後身頃２の上方端部にあたるウエスト部８には着用者の腰部を周回するよう帯状のゴム紐からなる腰部伸縮体３が取り付けられ、ウエスト部８に適当な収縮力を与え得る。腰部伸縮体３は、例えば、ウエスト部８に沿って腰部伸縮体３を伸ばした状態で縫製し、前見頃１及び後身頃２の上方の端部を伸縮可能にさせるよう取り付けられる。他の取り付け方として、例えば、前見頃１及び後身頃２の上端部を折り返して袋状に縫製し、袋内に腰部伸縮体３を通してギャザーを形成させてもよい。
【００１９】
着用者の左右の脚を通すそれぞれの穴の周囲にあたる脚ぐり部７（太もも部）においては、前方部分に帯状のゴム紐からなる伸縮体４がその端部に沿って取り付けられる。伸縮体４は、腰部伸縮体３と同様に、脚ぐり部７の周囲に沿って主として前見頃１に縫製されて取り付けられる。他の取り付け方として、脚ぐり部７の端部を折り返して袋状に縫製し、袋内に伸縮体４を通してギャザーを形成させてもよい。その場合、伸縮体４の両端部を前見頃１及び後身頃２に対して固定する。すなわち、伸縮体４の上方端部４ａは、前見頃１と後身頃２との境目であるサイド部６の近傍に縫い付けられ、伸縮体下方端部４ｂはクロッチ部５の後端部近傍に縫い付けられる。これにより、伸縮体４は、左右のサイド部６から前見頃１の股下部まで延び、さらにクロッチ部５を通って後身頃２にかけて一連に延びている。
【００２０】
脚ぐり部７の端部において、その後方部分においては前方部分とは異なり、伸縮体４を取り付けない欠損部となる。かかる欠損部においては、適宜、ほつれを防止するための端部処理が施される。
【００２１】
ところで、左右のサイド部６における前見頃１及び後身頃２の接続寸法であるサイド部６の上下方向寸法Ａは、クロッチ部５（股下部）までの股上寸法Ｂよりも小さい。このため、脚ぐり部７に沿って配置した伸縮体４は、前見頃１に沿って左右外側に向けて上方に傾斜する。
【００２２】
続いて、ショーツ１０の着用状態について、図１及び図２を用いて説明する。
【００２３】
図２（ａ）に示すように、着用者によってショーツ１０が着用されると、脚ぐり部７の前方に配置した伸縮体４の収縮力によって、伸縮体４に沿って引っ張り力が付与される。伸縮体４の下方端部４ｂはクロッチ部５の後方端部近傍に固定されているので、クロッチ部５は少なくとも前方に向けて引っ張られる。このとき、前見頃１及び後身頃２（図２（ｂ）参照）は、共にウエスト部８で着用者の腹部を締めるようにフィットしている。これにより、クロッチ部５を含む前見頃１及び後身頃２の中央部分が上下に引っ張られて着用者にフィットする。また、伸縮体４は、脚ぐり部７の周囲前方からサイド部６まで延びているので、前見頃１を左右方向にも引っ張って、クロッチ部５を含む前見頃１の全体を着用者の股下部から腹部にかけてフィットさせる（図内矢印参照）。つまり、少なくとも着用者の股下部から腹部にかけて、前見頃１の覆う範囲において肌を隠すというショーツの基本的な機能を維持する。これにより、着用者に安心感を与え得て、着用者の心理状況において好ましい。
【００２４】
また、図１を参照すると、上記したように左右サイド部６の上下方向寸法Ａは、股上寸法Ｂよりも小さく、伸縮体４は左右外側に向けて上方に傾斜している。かかる傾斜により、伸縮体４は、クロッチ部５の近傍を前見頃１に沿って略上方に向けて引っ張り上げるよう付勢し得る。これによりクロッチ部５を含む前身頃１を着用者により確実にフィットさせ、着用者に安心感をより与え得る。
【００２５】
一方、図２（ｂ）に示すように、後身頃２においては、脚ぐり部７の端部に伸縮体４が配置されず欠損部となっており、脚ぐり部７の周囲に引っ張り力は作用しない。後身頃２においては上記したように中央部分において上下に引っ張り力が作用するのみである（図内矢印参照）。
【００２６】
例えば、ショーツ１０の着用者である被施術者の臀部にマッサージ等の施術を行う場合、着用者の後方部分すなわち臀部周辺においては、後身頃２に引っ張り力が作用せず、特に脚ぐり部７の周囲においては伸縮体４の配置されない欠損部を有する。施術者は、かかる欠損部を介して脚ぐり部７の周囲から被施術者の臀部に向けて後身頃２の内部に指を容易に滑り込ませることができる。また、後身頃２を欠損部から捲り上げるように移動させることも容易である。このとき、後身頃２には引っ張り力が負荷されていないので、後身頃２の移動や指の挿入ではショーツ１０を無理に引っ張るような負荷を加えることがない。つまり、被施術者に不快感を与えずに、容易にマッサージ等の施術を行うことが可能である。
【００２７】
特に、ショーツ１０は、着用者が立位の場合に太もも周りを脚ぐり部７で包むというショーツの基本的な機能を付与する。一方で、着用者が施術を受けるときに腹這いになると前見頃１を寝台上に固定させて太もも周りを前方に押し付けるので、太もも周りの後方部分、すなわち欠損部においては寸法的な余裕を与えることもできる。
【００２８】
以上のように、ショーツ１０によれば、着用者の股下部から腹部にかけて前見頃１をフィットさせて肌を隠すというショーツの基本的な機能を付与し、着用者に安心感及びリラックス感を与える。一方で、後身頃２に与えられた伸縮体４の欠損部を介して施術者が着用者である被施術者の臀部から太ももにかけてのマッサージ等の施術を容易にできるのである。
【００２９】
なお、伸縮体４は、適宜その長さと上方端部４ａ及び下方端部４ｂの固定位置を変更し得る。例えば、上方端部４ａをサイド部６より後方に位置させて、後身頃２に固定してもよい。
【００３０】
以上、本発明による実施例及びこれに基づく変形例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００３１】
１    前見頃
２    後身頃
４    伸縮体
１０  ショーツ
【図１】
2016130375.tif 000003
【図２】
2016130375.tif 000004